(57)【要約】【課題】コントラストの低下を低減し、かつ効率的な画像表示を行い、良好な視野角特性を得るためのレンズシート等を提供すること。【解決手段】基板の第１面Ｓ１に形成されたマイクロレンズ３７と、光を遮断する遮光部、及び光を透過する開口部を備え、基板の第１面Ｓ１とは反対側の第２面Ｓ２に形成された遮光層と、を有し、第１面Ｓ１と第２面Ｓ２との間の距離をｔ、特定の方向におけるマイクロレンズ３７の幅をφ、特定の方向を含む面内において、第１面Ｓ１に対して略直交する向きへ進行しマイクロレンズ３７の端部で屈折した光の光線と第１面Ｓ１とがなす角度をθ、とすると、ｔ＜φ・ｔａｎθを満足する。【選択図】図４
2007206394.tif 000002
【特許請求の範囲】
【請求項１】
基板の第１面に形成されたマイクロレンズと、
光を遮断する遮光部、及び光を透過する開口部を備え、前記基板の前記第１面とは反対
側の第２面に形成された遮光層と、を有し、
前記第１面と前記第２面との間の距離をｔ、特定の方向における前記マイクロレンズの
幅をφ、前記特定の方向を含む面内において、前記第１面に対して略直交する向きへ進行
し前記マイクロレンズの端部で屈折した光の光線と前記第１面とがなす角度をθ、とする
と、ｔ＜φ・ｔａｎθを満足することを特徴とするレンズシート。
【請求項２】
前記特定の方向における前記開口部の幅をＤとすると、
ｔ≦（φ・ｔａｎθ）／２のとき、Ｄ≧φ−（２ｔ／ｔａｎθ）を満足し、
（φ・ｔａｎθ）／２＜ｔ＜φ・ｔａｎθのとき、Ｄ＞（２ｔ／ｔａｎθ）−φを満足
することを特徴とする請求項１に記載のレンズシート。
【請求項３】
ｔは、（φ・ｔａｎθ）／２に略同一であることを特徴とする請求項１又は２に記載の
レンズシート。
【請求項４】
請求項１〜３のいずれか一項に記載のレンズシートを有することを特徴とするスクリー
ン。
【請求項５】
基板の第１面に形成されたマイクロレンズと、
光を遮断する遮光部、及び光を透過する開口部を備え、前記基板の前記第１面とは反対
側の第２面に形成された遮光層と、
光を拡散させる拡散部と、を有し、
前記拡散部は、前記遮光層に対して前記マイクロレンズが設けられる側とは反対側に設
けられることを特徴とする請求項４に記載のスクリーン。
【請求項６】
画像信号に応じた光を請求項４又は５に記載のスクリーンに透過させることにより画像
を表示することを特徴とするリアプロジェクタ。
【発明の詳細な説明】
【技術分野】
【０００１】
本発明は、レンズシート、スクリーン及びリアプロジェクタ、特に、リアプロジェクタ
のスクリーンに用いられるレンズシートの技術に関する。
【背景技術】
【０００２】
画像信号に応じた光（映像光）を透過させることにより画像を表示する、いわゆるリア
プロジェクタには、光を透過させる透過型スクリーンが用いられる。透過型スクリーンで
反射した外光が観察者の方向へ進行すると、観察者は、映像光と外光とを同時に観察する
ことになる。映像光と同時に外光が観察者の眼に入ると、画像のコントラストが低下する
ことが考えられる。このような画像のコントラストの低下を低減するために、例えば、外
光を吸収する遮光部を有する遮光層をレンズシートに形成する技術が提案されている。遮
光層を有するレンズシートの技術は、例えば、特許文献１に提案されている。
【０００３】
【特許文献１】特開平１０−８３０２９号公報
【発明の開示】
【発明が解決しようとする課題】
【０００４】
遮光層は、外光の反射を効果的に低減する観点からは、できるだけ遮光部を大きくする
ことが望まれる。しかしながら、遮光部の位置や大きさによっては、遮光部への映像光の
吸収が顕著となることが考えられる。遮光部への映像光の吸収が顕著となると、効率的な
画像表示を行うことが困難となる。また、スクリーンの法線との間の角度が大きい映像光
ほど遮光部への吸収が顕著となることで、視野角特性が悪化することも考えられる。この
ように、従来の技術では、コントラストの低下を低減し、かつ効率的な画像表示を行い、
良好な視野角特性を得ることが困難な場合があるという問題を生じる。本発明は、上述の
問題に鑑みてなされたものであり、コントラストの低下を低減し、かつ効率的な画像表示
を行い、良好な視野角特性を得るためのレンズシート、スクリーン、及びリアプロジェク
タを提供することを目的とする。
【課題を解決するための手段】
【０００５】
上述した課題を解決し、目的を達成するために、本発明によれば、基板の第１面に形成
されたマイクロレンズと、光を遮断する遮光部、及び光を透過する開口部を備え、基板の
第１面とは反対側の第２面に形成された遮光層と、を有し、第１面と第２面との間の距離
をｔ、特定の方向におけるマイクロレンズの幅をφ、特定の方向を含む面内において、第
１面に対して略直交する向きへ進行しマイクロレンズの端部で屈折した光の光線と第１面
とがなす角度をθ、とすると、式（１）を満足することを特徴とするレンズシートを提供
することができる。
ｔ＜φ・ｔａｎθ    （１）
【０００６】
式（１）により基板の第１面及び第２面の間の距離ｔを決定することにより、第１面に
対して略直交する向きへ進行しマイクロレンズで屈折した光が入射する領域以外の領域に
遮光部を形成することが可能となる。マイクロレンズからの光が入射する領域以外の領域
に遮光部を形成することで、遮光部への映像光の入射を低減する。遮光部で遮光される映
像光を低減することにより、映像光を効率良く透過させることが可能となる。また、広い
角度範囲の映像光を透過させることにより、良好な視野角特性を得ることもできる。これ
により、コントラストの低下を低減し、かつ効率的な画像表示を行い、良好な視野角特性
を得るためのレンズシートを得られる。
【０００７】
また、本発明の好ましい態様としては、特定の方向における開口部の幅をＤとすると、
ｔ≦（φ・ｔａｎθ）／２のとき、式（２）を満足し、（φ・ｔａｎθ）／２＜ｔ＜φ・
ｔａｎθのとき、式（３）を満足することが望ましい。
Ｄ≧φ−（２ｔ／ｔａｎθ）    （２）
Ｄ＞（２ｔ／ｔａｎθ）−φ    （３）
【０００８】
ｔ≦（φ・ｔａｎθ）／２のとき、遮光層は、マイクロレンズの焦点から第１面までの
間に形成される。このとき式（２）を満足する幅Ｄの開口部を形成することで、第１面に
対して略直交する向きへ進行しマイクロレンズで屈折した光が入射する領域以外の領域に
遮光部が形成される。（φ・ｔａｎθ）／２＜ｔ＜φ・ｔａｎθのとき、遮光層は、マイ
クロレンズの焦点よりも第１面から遠い位置に形成される。このとき式（３）を満足する
幅Ｄの開口部を形成することで、第１面に対して略直交する向きへ進行しマイクロレンズ
で屈折した光が入射する領域以外の領域に遮光部が形成される。これにより、遮光部への
映像光の入射を低減することができる。
【０００９】
また、本発明の好ましい態様としては、ｔは、（φ・ｔａｎθ）／２に略同一であるこ
とが望ましい。ｔが（φ・ｔａｎθ）／２に略同一であるとき、遮光層は、マイクロレン
ズの焦点上、又は焦点近傍に形成される。このとき、開口部の幅を最小とし遮光部のスペ
ースを最大限確保することにより、遮光部での外光の反射を十分に低減することが可能と
なる。これにより、さらにコントラストの低下を低減することができる。
【００１０】
さらに、本発明によれば、上記のレンズシートを有することを特徴とするスクリーンを
提供することができる。上記のレンズシートを用いることで、コントラストの低下を低減
し、かつ効率的な画像表示を行い、良好な視野角特性を得ることが可能である。これによ
り、コントラストの低下を低減し、かつ効率的な画像表示を行い、良好な視野角特性を得
るためのスクリーンを得られる。
【００１１】
また、本発明の好ましい態様としては、基板の第１面に形成されたマイクロレンズと、
光を遮断する遮光部、及び光を透過する開口部を備え、基板の第１面とは反対側の第２面
に形成された遮光層と、光を拡散させる拡散部と、を有し、拡散部は、遮光層に対してマ
イクロレンズが設けられる側とは反対側に設けられることが望ましい。拡散部によりレン
ズシートからの映像光を拡散させる構成とすることで、さらに良好な視野角特性を得るこ
とができる。また、遮光層よりマイクロレンズ側に拡散部を設けることとすると、拡散部
により拡散した後遮光部へ入射する映像光が増加することが考えられる。遮光部に対して
マイクロレンズが設けられる側とは反対側に拡散部を設けることにより、拡散部で拡散し
た後遮光部へ入射する映像光を低減させ、映像光を効率良く透過させることができる。
【００１２】
さらに、本発明によれば、画像信号に応じた光を上記のスクリーンに透過させることに
より画像を表示することを特徴とするリアプロジェクタを提供することができる。上記の
スクリーンを用いることで、コントラストの低下を低減し、かつ効率的な画像表示を行い
、良好な視野角特性を得ることが可能である。これにより、良好な視野角特性で明るく高
コントラストな画像を表示することが可能なリアプロジェクタを得られる。
【発明を実施するための最良の形態】
【００１３】
以下に図面を参照して、本発明の実施例を詳細に説明する。
【実施例】
【００１４】
図１は、本発明の実施例に係るリアプロジェクタ１０の概略構成を示す。リアプロジェ
クタ１０は、スクリーン２５の一方の面に光を投写し、スクリーン２５の他方の面から出
射する光を観察することで画像を鑑賞するものである。光源部である超高圧水銀ランプ１
１は、第１色光である赤色光（以下、「Ｒ光」という。）、第２色光である緑色光（以下
、「Ｇ光」という。）、及び第３色光である青色光（以下、「Ｂ光」という。）を含む光
を供給する。
【００１５】
インテグレータ１２は、超高圧水銀ランプ１１からの光の照度分布を空間光変調装置上
で均一化させる。インテグレータ１２を経た光は、偏光変換素子１３にて特定の振動方向
を有する偏光光、例えばｐ偏光光に変換される。ｐ偏光光に変換された光は、色分離光学
系を構成するＲ光透過ダイクロイックミラー１４Ｒに入射する。Ｒ光透過ダイクロイック
ミラー１４Ｒは、Ｒ光を透過し、Ｇ光、Ｂ光を反射する。Ｒ光透過ダイクロイックミラー
１４Ｒを透過したＲ光は、反射ミラー１５に入射する。反射ミラー１５で光路を略９０度
折り曲げられたＲ光は、Ｒ光用空間光変調装置１７Ｒに入射する。Ｒ光用空間光変調装置
１７Ｒは、Ｒ光を画像信号に応じて変調する透過型液晶表示装置である。なお、ダイクロ
イックミラーを透過しても、光の偏光方向は変化しないため、Ｒ光用空間光変調装置１７
Ｒに入射するＲ光は、ｐ偏光光のままの状態である。
【００１６】
Ｒ光用空間光変調装置１７Ｒに入射したｐ偏光光は、不図示の液晶パネルに入射する。
液晶パネルは、２つの透明基板の間に、画像表示のための液晶層を封入している。液晶パ
ネルに入射したｐ偏光光は、画像信号に応じた変調によりｓ偏光光に変換される。Ｒ光用
空間光変調装置１７Ｒは、変調によりｓ偏光光に変換されたＲ光を出射する。このように
して、Ｒ光用空間光変調装置１７Ｒで変調されたＲ光は、色合成光学系であるクロスダイ
クロイックプリズム１８に入射する。
【００１７】
Ｒ光透過ダイクロイックミラー１４Ｒで反射されたＧ光及びＢ光は、光路を９０度折り
曲げられる。光路を折り曲げられたＧ光及びＢ光は、Ｂ光透過ダイクロイックミラー１４
Ｇに入射する。Ｂ光透過ダイクロイックミラー１４Ｇは、Ｇ光を反射し、Ｂ光を透過する
。Ｂ光透過ダイクロイックミラー１４Ｇで反射されたＧ光は、Ｇ光用空間光変調装置１７
Ｇに入射する。Ｇ光用空間光変調装置１７Ｇは、Ｇ光を画像信号に応じて変調する透過型
液晶表示装置である。
【００１８】
Ｇ光用空間光変調装置１７Ｇに入射したｐ偏光光は、液晶パネルにおける画像信号に応
じた変調によりｓ偏光光に変換される。Ｇ光用空間光変調装置１７Ｇは、変調によりｓ偏
光光に変換されたＧ光を出射する。このようにして、Ｇ光用空間光変調装置１７Ｇで変調
されたＧ光は、クロスダイクロイックプリズム１８に入射する。
【００１９】
Ｂ光透過ダイクロイックミラー１４Ｇを透過したＢ光は、２枚のリレーレンズ１６、及
び２枚の反射ミラー１５を経由して、Ｂ光用空間光変調装置１７Ｂに入射する。Ｂ光用空
間光変調装置１７Ｂは、Ｂ光を画像信号に応じて変調する透過型液晶表示装置である。な
お、Ｂ光にリレーレンズ１６を経由させるのは、Ｂ光の光路がＲ光及びＧ光の光路よりも
長いためである。リレーレンズ１６を用いることにより、Ｂ光透過ダイクロイックミラー
１４Ｇを透過したＢ光を、そのままＢ光用空間光変調装置１７Ｂに導くことができる。
【００２０】
Ｂ光用空間光変調装置１７Ｂに入射したｐ偏光光は、液晶パネルにおける画像信号に応
じた変調によりｓ偏光光に変換される。Ｂ光用空間光変調装置１７Ｂは、変調によりｓ偏
光光に変換されたＢ光を出射する。このようにして、Ｂ光用空間光変調装置１７Ｂで変調
されたＢ光は、色合成光学系であるクロスダイクロイックプリズム１８に入射する。色分
離光学系を構成するＲ光透過ダイクロイックミラー１４ＲとＢ光透過ダイクロイックミラ
ー１４Ｇとは、超高圧水銀ランプ１１から供給される光を、Ｒ光、Ｇ光、Ｂ光に分離する
。
【００２１】
クロスダイクロイックプリズム１８は、互いに略直交するように配置された２つのダイ
クロイック膜１８ａ、１８ｂを有する。第１ダイクロイック膜１８ａは、Ｂ光を反射し、
Ｒ光及びＧ光を透過する。第２ダイクロイック膜１８ｂは、Ｒ光を反射し、Ｇ光及びＢ光
を透過する。かかる構成により、クロスダイクロイックプリズム１８は、Ｒ光、Ｇ光及び
Ｂ光を合成する。
【００２２】
投写レンズ２０は、クロスダイクロイックプリズム１８で合成された光を反射ミラー２
１の方向へ投写する。反射ミラー２１は、投写レンズ２０からの投写光をスクリーン２５
の方向へ反射する。スクリーン２５は、画像信号に応じた光である映像光を透過すること
により鑑賞者側の面に画像を表示するための透過型スクリーンである。スクリーン２５は
、フレネルレンズ２２、レンズシート２３、及び透明層２４を有する。
【００２３】
フレネルレンズ２２は、反射ミラー２１からの光を略平行な光に角度変換する角度変換
部である。フレネルレンズ２２は、略同心円状に配置された複数のプリズム部２６を有す
る。各プリズム部２６は、凸レンズの凸面を切り出した輪状の切片と同様の形状を有する
。プリズム部２６は、例えば０．１１ｍｍのピッチで配置されている。フレネルレンズ２
２は、略同心円状に配置された各プリズム部２６により、映像光を略平行な光に角度変換
する。なお、プリズム部２６は、略同心円状に配置する場合に限られず、例えば楕円状に
配置することとしても良い。
【００２４】
図２は、スクリーン２５のうちレンズシート２３及び透明層２４の要部断面構成を示す
。図２に示す断面は、特定の方向であるＹ方向、及びＺ方向を含むＹＺ断面である。レン
ズシート２３は、マイクロレンズアレイ３１、基板３２、及び遮光層３３を有する。マイ
クロレンズアレイ３１は、基板３２の第１面Ｓ１に形成されている。マイクロレンズアレ
イ３１は、二次元方向にアレイ状に設けられた複数のマイクロレンズ３７を有する。マイ
クロレンズ３７は、球面若しくは非球面形状を有する。また、ＸＹ平面において、マイク
ロレンズ３７の外形は、略円形状をなしている。フレネルレンズ２２で平行化された映像
光Ｌ１は、マイクロレンズ３７の屈折作用により、開口部３４の付近で絞られた後観察者
ＯＢＳ側にて拡散する。なお、マイクロレンズ３７の外形は、レンズ占有率に応じて、例
えば、矩形形状や多角形形状としても良い。また、マイクロレンズアレイ３１は、マイク
ロレンズ３７を格子状に配置する他、千鳥状に配置することとしても良い。
【００２５】
遮光層３３は、基板３２の第１面Ｓ１とは反対側の第２面Ｓ２に形成されている。遮光
層３３は、光を遮断する遮光部３５、及び光を透過する開口部３４を有する。開口部３４
は、マイクロレンズ３７に対応して配置されている。遮光部３５は、開口部３４の周辺に
形成されている。遮光部３５は、観察者ＯＢＳ側からスクリーン２５へ入射する外光Ｌ２
を吸収することにより、観察者ＯＢＳの方向への外光Ｌ２の反射を低減させる。遮光部３
５により外光Ｌ２の反射を低減することで、画像のコントラストの低下を低減することが
可能となる。透明層２４は、遮光層３３から見てマイクロレンズアレイ３１とは反対側に
設けられている。透明層２４は、透明部材を備える平行平板である。
【００２６】
図３は、レンズシート２３の基板３２の第１面Ｓ１及び第２面Ｓ２の距離ｔについて説
明するものである。距離ｔは、Ｚ方向における基板３２の厚みに相当する。第１面Ｓ１に
対して略直交する向きで入射した光のうちマイクロレンズ３７で最も大きく屈折されるの
は、マイクロレンズ３７の端部へ入射した光である。第１面Ｓ１に対して略直交する向き
へ進行しマイクロレンズ３７の端部で屈折した光の光線と第１面Ｓ１とがなす角度をθと
する。角度θの光は、第１面Ｓ１からＺ方向へ距離ｔだけ進行するとともに、Ｙ方向につ
いてｔ／ｔａｎθだけシフトする。Ｙ方向におけるマイクロレンズ３７の幅をφとすると
、第１面Ｓ１に対して略直交する向きへ進行しマイクロレンズ３７で屈折した光が入射す
る領域以外の領域に遮光部３５を形成するためには、少なくともφ＞ｔ／ｔａｎθが成立
することを要する。よって、レンズシート２３は、距離ｔが式（１）を満足するように構
成することが望ましい。
ｔ＜φ・ｔａｎθ    （１）
【００２７】
図４及び図５は、Ｙ方向についての開口部３４の幅Ｄについて説明するものである。ｔ
≦（φ・ｔａｎθ）／２のとき、図４に示すように、遮光層３３が形成される第２面Ｓ２
は、マイクロレンズ３７の焦点Ｆから第１面Ｓ１までの間に位置することとなる。この場
合、開口部３４の幅Ｄは、第１面Ｓ１に対して略直交する向きへ進行しマイクロレンズ３
７で屈折した光が入射する領域の幅以上とする必要がある。よって、ｔ≦（φ・ｔａｎθ
）／２のとき、レンズシート２３は、開口部３４の幅Ｄが式（２）を満足するように構成
することが望ましい。
Ｄ≧φ−（２ｔ／ｔａｎθ）    （２）
【００２８】
（φ・ｔａｎθ）／２＜ｔ＜φ・ｔａｎθのとき、図５に示すように、遮光層３３が形
成される第２面Ｓ２は、マイクロレンズ３７の焦点Ｆよりも第１面Ｓ１から遠くに位置す
ることとなる。この場合、開口部３４の幅Ｄは、焦点Ｆで一旦絞られた後広げられたマイ
クロレンズ３７からの光が入射する領域の幅以上とする必要がある。よって、（φ・ｔａ
ｎθ）／２＜ｔ＜φ・ｔａｎθのとき、レンズシート２３は、開口部３４の幅Ｄが式（３
）を満足するように構成することが望ましい。
Ｄ＞（２ｔ／ｔａｎθ）−φ    （３）
【００２９】
式（１）、さらに式（２）又は式（３）を満足するようにレンズシート２３を構成する
ことにより、第１面Ｓ１に対して略直交する向きへ進行しマイクロレンズ３７で屈折した
光が入射する領域以外の領域に遮光部３５を形成することが可能となる。マイクロレンズ
３７からの光が入射する領域以外の領域に遮光部３５を形成することで、遮光部３５への
映像光の入射を低減する。遮光部３５への映像光の入射を低減することで、遮光部３５で
吸収される映像光を低減し、映像光を効率良く透過させることが可能となる。また、広い
角度範囲の映像光を透過させることにより、良好な視野角特性を得ることもできる。これ
により、コントラストの低下を低減し、かつ効率的な画像表示を行い、良好な視野角特性
を得られるという効果を奏する。また、リアプロジェクタ１０により、良好な視野角特性
で明るく高コントラストな画像を表示することができる。
【００３０】
開口部３４は、特定の方向であるＹ方向の幅Ｄに加えて、Ｙ方向に略直交するＸ方向の
幅についても式（２）、（３）を満足する構成としても良い。例えば、開口部３４は、Ｘ
Ｙ平面において、マイクロレンズ３７の円形状に略相似する円形状とすることができる。
これにより、Ｙ方向のみならずＸ方向についても遮光部３５における映像光の吸収を低減
し、良好な視野角特性を得られる。開口部３４は、円形状とする場合に限らず、マイクロ
レンズ３７の形状に合わせて矩形形状や多角形形状に変形する他、水平方向及び垂直方向
の視野角に応じた楕円形状等としても良い。
【００３１】
図６は、さらに望ましいレンズシート２３の構成を説明するものである。ｔが（φ・ｔ
ａｎθ）／２に略同一であるとき、第２面Ｓ２は、マイクロレンズ３７の焦点Ｆ上、又は
焦点Ｆ近傍に形成される。このとき、開口部３４の幅を最小とし遮光部３５のスペースを
最大限確保することにより、遮光部３５での外光Ｌ２の反射を十分に低減することが可能
となる。これにより、さらにコントラストの低下を低減することができる。
【００３２】
スクリーン２５は、映像光を拡散させる拡散部を設ける構成としても良い。拡散部によ
り映像光を拡散させる構成とすることで、さらに良好な視野角特性を得ることができる。
遮光層３３よりマイクロレンズアレイ３１側に拡散部を設けることとすると、拡散部によ
り拡散した後遮光部３５へ入射する映像光が増加することが考えられる。そこで、図７に
示すように、拡散部７１は、遮光層３３と透明層２４との間に設けることが望ましい。遮
光層３３に対してマイクロレンズアレイ３１が設けられる側とは反対側に拡散部７１を設
けることにより、拡散部７１で拡散した後遮光部３５へ入射する映像光を低減させ、映像
光を効率良く透過させることができる。
【００３３】
拡散部７１としては、例えば、光を拡散させる拡散剤を分散させた平板を用いることが
できる。拡散剤には、平板を構成する部材とは異なる屈折率の部材を用いることができる
。また、拡散部７１として、微小な凹凸を施した拡散面を有するフィルム等を用いること
としても良い。スクリーン２５は、拡散部を別途設ける他、透明層２４に拡散剤を分散さ
せる、透明層２４に拡散面を作り込む等により、透明層２４に拡散機能を持たせることと
しても良い。
【００３４】
レンズシートは、二次元方向についてマイクロレンズ３７をアレイ状に配列させたマイ
クロレンズアレイ３１を用いる構成に限られず、レンチキュラーレンズを一方向であるＸ
方向又はＹ方向に配列させたレンチキュラーレンズアレイを用いる構成としても良い。レ
ンチキュラーレンズアレイを用いるレンズシートには、レンチキュラーレンズに対応して
遮光部をストライプ状に形成した遮光層が用いられる。レンチキュラーレンズアレイ、及
び遮光部をストライプ状に形成した遮光層を用いるレンズシートの場合も、基板の第１面
及び第２面の距離、遮光部の幅を上記と同様に設定することができる。この場合も、映像
光の吸収を低減することで、効率的な画像表示を行い、良好な視野角特性を得られる。
【００３５】
リアプロジェクタ１０は、光源部として超高圧水銀ランプを用いる他、例えば、発光ダ
イオード素子（ＬＥＤ）等の固体発光素子を用いても良い。また、リアプロジェクタ１０
は、３つの透過型液晶表示装置を設ける場合に限らず、例えば、１つの透過型液晶表示装
置や、反射型液晶表示装置、微小ミラーアレイデバイスを設けることとしても良い。
【産業上の利用可能性】
【００３６】
以上のように、本発明に係るレンズシートは、リアプロジェクタのスクリーンに用いる
場合に適している。
【図面の簡単な説明】
【００３７】
【図１】本発明の実施例に係るリアプロジェクタの概略構成を示す図。
【図２】レンズシート及び透明層の要部断面構成を示す図。
【図３】基板の第１面及び第２面の距離について説明する図。
【図４】開口部の幅について説明する図。
【図５】開口部の幅について説明する図。
【図６】マイクロレンズの焦点又はその近傍に第２面が形成される構成の説明図。
【図７】拡散部を設ける構成を説明する図。
【符号の説明】
【００３８】
１０  リアプロジェクタ、１１  超高圧水銀ランプ、１２  インテグレータ、１３  偏
光変換素子、１４Ｒ  Ｒ光透過ダイクロイックミラー、１４Ｇ  Ｂ光透過ダイクロイック
ミラー、１５  反射ミラー、１６  リレーレンズ、１７Ｒ  Ｒ光用空間光変調装置、１７
Ｇ  Ｇ光用空間光変調装置、１７Ｂ  Ｂ光用空間光変調装置、１８  クロスダイクロイッ
クプリズム、１８ａ  第１ダイクロイック膜、１８ｂ  第２ダイクロイック膜、２０  投
写レンズ、２１  反射ミラー、２２  フレネルレンズ、２３  レンズシート、２４  透明
層、２５  スクリーン、２６  プリズム部、３１  マイクロレンズアレイ、３２  基板、
３３  遮光層、３４  開口部、３５  遮光部、３７  マイクロレンズ、Ｓ１  第１面、Ｓ
２  第２面、７１  拡散部
【図１】
2007206394.tif 000003
【図２】
2007206394.tif 000004
【図３】
2007206394.tif 000005
【図４】
2007206394.tif 000006
【図５】
2007206394.tif 000007
【図６】
2007206394.tif 000008
【図７】
2007206394.tif 000009